(57)【要約】【課題】空間中の空気を清浄化すると同時に、当該空気中のウイルスを容易に分析可能な状態で捕捉することができる空気清浄装置を提供する。【解決手段】空気清浄装置において、内部に流入した空気を側壁に沿って旋回させ、空気から異物を分離する旋回室２１と、旋回室２１に形成された開口部２７を介して旋回室２１の内部と連通し、旋回室２１で分離された異物を捕集する集塵室２８と、集塵室２８に着脱自在に設けられ、集塵室２８に捕集された異物に含まれるウイルスを捕捉する捕捉部３０と、捕捉部３０に捕捉されたウイルスを不活化する不活化装置４０と、を備える。【選択図】図１
2018038980.tif 000002
【特許請求の範囲】
【請求項１】
内部に流入した空気を側壁に沿って旋回させ、前記空気から異物を分離する旋回室と、
前記旋回室に形成された開口部を介して前記旋回室の内部と連通し、前記旋回室で分離された異物を捕集する集塵室と、
前記集塵室に着脱自在に設けられ、前記集塵室に捕集された異物に含まれるウイルスを捕捉する捕捉部と、
前記捕捉部に捕捉されたウイルスを不活化するウイルス不活化手段と、を備えた空気清浄装置。
【請求項２】
前記集塵室は、
前記旋回室に形成された第１の開口部を介して前記旋回室の内部と連通する第１の集塵室と、
前記旋回室における前記第１の開口部よりも上流側に形成された第２の開口部を介して前記旋回室の内部と連通した第２の集塵室と、を備え、
前記捕捉部は、前記第１の集塵室に着脱自在に設けられ、前記第１の集塵室に捕集された異物に含まれるウイルスを捕捉する請求項１に記載の空気清浄装置。
【請求項３】
前記捕捉部は、表面でウイルスを捕捉可能な水溶性のフィルタを備えた請求項１又は請求項２に記載の空気清浄装置。
【請求項４】
前記捕捉部は、前記フィルタを、前記集塵室内の予め定められた位置に固定する固定手段を備えた請求項３に記載の空気清浄装置。
【請求項５】
前記ウイルス不活化手段は、前記捕捉部に紫外線を照射する照射手段を備えた請求項１から請求項４のいずれか一項に記載の空気清浄装置。
【発明の詳細な説明】
【技術分野】
【０００１】
この発明は、空気清浄装置に関するものである。
【背景技術】
【０００２】
従来における空気清浄装置においては、空気が通過する系路にプレフィルタとイオナイザ兼オゾナイザと集塵電極とを備え、空気中に浮遊した塵、細菌、臭気成分を吸い込み、プレフィルタを通過させる際に、比較的サイズの大きな塵とともに塵に付着した細菌をプレフィルタで捕捉し、プレフィルタを通過したサイズの小さな塵、細菌をイオナイザ兼オゾナイザで帯電させ、帯電した塵、細菌を集塵電極で捕捉するものが知られている（例えば、特許文献１参照）。
【先行技術文献】
【特許文献】
【０００３】
【特許文献１】特開平０８−２４３４３２号公報
【発明の概要】
【発明が解決しようとする課題】
【０００４】
しかしながら、特許文献１に示された従来における空気清浄装置においては、空気中の細菌、ウイルス等をプレフィルタで捕捉するため、ウイルスがプレフィルタの広範囲に付着し、付着したウイルスを回収すると回収液中のウイルス濃度が希薄となり、ウイルスの分析が困難である。また、集塵電極で捕捉された帯電した細菌、ウイルス等についても回収が難しく、やはり、ウイルスの分析に用いるのは困難である。
【０００５】
この発明は、このような課題を解決するためになされたもので、空間中の空気を清浄化すると同時に、当該空気中のウイルスを容易に分析可能な状態で捕捉することができる空気清浄装置を得るものである。
【課題を解決するための手段】
【０００６】
この発明に係る空気清浄装置においては、内部に流入した空気を側壁に沿って旋回させ、前記空気から異物を分離する旋回室と、前記旋回室に形成された開口部を介して前記旋回室の内部と連通し、前記旋回室で分離された異物を捕集する集塵室と、前記集塵室に着脱自在に設けられ、前記集塵室に捕集された異物に含まれるウイルスを捕捉する捕捉部と、前記捕捉部に捕捉されたウイルスを不活化するウイルス不活化手段と、を備えた構成とする。
【発明の効果】
【０００７】
この発明に係る空気清浄装置においては、空間中の空気を清浄化すると同時に、当該空気中のウイルスを容易に分析可能な状態で捕捉することができるという効果を奏する。
【図面の簡単な説明】
【０００８】
【図１】この発明の実施の形態１に係る空気清浄装置の要部の構成を模式的に示す断面図である。
【図２】この発明の実施の形態１に係る空気清浄装置が備えるサイクロン部を模式的に示す斜視図である。
【図３】この発明の実施の形態１に係る空気清浄装置が備えるサイクロン部の集塵室部分を拡大して模式的に示す図である。
【図４】この発明の実施の形態１に係る空気清浄装置が備える捕集部の構成を模式的に示す分解斜視図である。
【図５】この発明の実施の形態２に係る空気清浄装置の要部の構成を模式的に示す断面図である。
【発明を実施するための形態】
【０００９】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１０】
実施の形態１．
図１から図４は、この発明の実施の形態１に係るもので、図１は空気清浄装置の要部の構成を模式的に示す断面図、図２は空気清浄装置が備えるサイクロン部を模式的に示す斜視図、図３は空気清浄装置が備えるサイクロン部の集塵室部分を拡大して模式的に示す図、図４は空気清浄装置が備える捕集部の構成を模式的に示す分解斜視図である。
【００１１】
この発明の実施の形態１に係る空気清浄装置１は、当該空気清浄装置１が設置された空間内（例えば室内等）の空気を内部に取り込み、内部に取り込んだ空気からごみ、塵埃、ウイルス及び花粉等の異物を分離し、異物が取り除かれた空気を排出するものである。以下において、ごみ、塵埃、ウイルス及び花粉等の異物を含む空気を「含塵空気」とも呼ぶ。また、塵埃、ウイルス及び花粉等の異物が取り除かれた空気を「清浄空気」とも呼ぶ。空気清浄装置１から排出された清浄空気は、当該空気清浄装置１が設置された室内等に戻される。
【００１２】
空気清浄装置１は、図１に示すように、吸引ファン１０及びサイクロン部２０を備えている。吸引ファン１０は、空気清浄装置１が設置された空間内の空気をサイクロン部２０に導入するための空気流を生成するためのものである。
【００１３】
サイクロン部２０は、含塵空気から異物を分離し、分離した異物を一時的に溜めておくためのものである。サイクロン部２０は、内部で含塵空気を旋回させることにより、遠心力によって異物を空気から分離する。つまり、サイクロン部２０は、サイクロン分離機能を有するサイクロン分離装置である。
【００１４】
サイクロン部２０は、図１及び図２に示すように、旋回室２１を備えている。以下のサイクロン部２０に関する説明においては、図１及び図２に示す向きを基準に、上下を特定する。サイクロン部２０は、旋回室２１、流入管２３、排出管２６及び集塵室２８を備えている。図２に示すように、旋回室２１は、円筒部２１ａ及び円錐部２１ｂを備えている。
【００１５】
円筒部２１ａは、中空の円筒状を呈する。円筒部２１ａは、中心軸が上下方向を向くように配置される。円錐部２１ｂは、先端部が切り取られた中空の円錐状を呈する。円錐部２１ｂは、中心軸が円筒部２１ａの中心軸と一致するように、上下方向に配置される。円錐部２１ｂは、上端部が円筒部２１ａの下端部に接続され、下方に向かうに従って径が小さくなるように、円筒部２１ａの下端部から下方に延びるように設けられる。このため、円錐部２１ｂの下端部は、下方（中心軸方向）を向いて開口する。円錐部２１ｂの下端部に形成されたこの開口が、開口部２７である。
【００１６】
円筒部２１ａの内部空間と円錐部２１ｂの内部空間とからなる一続きの空間は、旋回室２１を構成する。旋回室２１は、内部に流入した含塵空気を中心軸のまわりに側壁に沿って旋回させ、含塵空気から異物を分離するための空間である。旋回室２１の円筒部２１ａ及び円錐部２１ｂの中心軸は上下方向沿って配置されていることから、旋回室２１の内部における空気の旋回の中心軸（以下、「旋回中心軸」ともいう）も、上下方向に沿って配置されることになる。なお、旋回室２１を形成する側壁は、軸方向長さの全域において、円筒および円錐の面形状を成している。このようにして、旋回室２１は、内部に流入した空気を側壁に沿って旋回させ、空気から異物を分離するように構成される。
【００１７】
集塵室２８は、円錐部２１ｂ（旋回室２１の下部）の下方を覆い、その周囲を取り囲むように配置される。開口部２７を含む円錐部２１ｂの下方側は、集塵室２８の内側の空間に配置される。集塵室２８は、開口部２７を介して旋回室２１に通じている。旋回室２１において含塵空気から分離された異物は、開口部２７を通って集塵室２８に落下し、捕捉される。このようにして、集塵室２８は、旋回室２１に形成された開口部２７を介して旋回室２１の内部と連通し、旋回室２１で分離された異物を捕集するように構成される。
【００１８】
流入管２３は、含塵空気を、円筒部２１ａの内部（旋回室２１）に流入させるためのものである。流入管２３は、例えば、四角筒状を呈し、円筒部２１ａに接続される。流入管２３は、一端が外側を向いて開口し、他端が円筒部２１ａの内部に開口する。流入管２３の前記一端は、サイクロン部２０に含塵空気を取り込むための吸込口２４を形成する。流入管２３の前記他端は、流入管の内部を通過してきた含塵空気を円筒部２１ａの内部（旋回室２１）に取り込むための流入口２２を形成する。
【００１９】
流入管２３は、円筒部２１ａの上部に接続される。このため、流入口２２は、円筒部２１ａの上部（旋回室２１を形成する側壁の最上部）に形成される。流入管２３は、一直線状を呈する部材からなる。流入管２３は、その軸が、円筒部２１ａの中心軸に対して直交し、かつ、円筒部２１ａの接線方向に配置される。
【００２０】
旋回室２１の上壁には、排出口２５が形成されている。排出口２５は、旋回室２１の内部の空気を排出するための開口である。排出管２６は、中心軸が円筒部２１ａの中心軸と一致するように、上下方向に配置される。排出管２６の上端側は、排出口２５を通り、旋回室２１の外部に延びている。排出管２６の下端側は、旋回室２１の上壁から、旋回室２１の内部すなわち下方に突出するように配置されている。
【００２１】
排出管２６の上端側端部には、吸引ファン１０が設けられている。排出管２６における吸引ファン１０の上流側には、排気フィルタ１１が設けられている。排気フィルタ１１は、旋回室２１では取り除き切れなかった微細なごみ等をこし取って排気中から取り除くためのものである。旋回室２１及び排気フィルタ１１を通過して清浄化された空気は、吸引ファン１０を通過して空気清浄装置１の外部に排出される。
【００２２】
集塵室２８の内部には、捕捉部３０が設けられている。前述したように、集塵室２８に捕集された異物には、ごみ、塵埃、ウイルス及び花粉等が含まれている。捕捉部３０は、集塵室２８に捕集された異物に含まれる少なくともウイルスを捕捉するものである。この実施の形態１においては、捕捉部３０は、例えば、集塵室２８の集塵室底面部２９に取り付けられている。すなわち、捕捉部３０は、開口部２７に対向するようにして配置されている。
【００２３】
図３及び図４に示すように、捕捉部３０は、台座３１、捕集フィルタ３２及び固定具３３を備えている。捕集フィルタ３２は、当該捕集フィルタ３２の表面でウイルスを捕捉可能である。捕集フィルタ３２は、ここでは、薄い円板状を呈する。捕集フィルタ３２は、例えば、水溶性を有するゼラチン等により構成されている。なお、捕集フィルタ３２は、ウイルスとともに塵、ごみ、埃、花粉等の異物全般を捕集する。
【００２４】
捕捉したウイルスは捕集フィルタ３２ごと回収し、水溶性の捕集フィルタ３２を培地等に溶解させることで、捕集フィルタ３２に捕捉したウイルスの全量検出が可能となる。そして、この溶解液に対してＰＣＲ（Ｐｏｌｙｍｅｒａｓｅ  Ｃｈａｉｎ  Ｒｅａｃｔｉｏｎ）を用いて、捕集したウイルスの遺伝子を増幅することで、空気清浄装置１が設置された空間中に存在するウイルスの種類を分析することができる。
【００２５】
台座３１は、捕集フィルタ３２を置くためのものである。台座３１は、集塵室底面部２９における開口部２７に対向する位置に固定されている。台座３１の上面は、捕集フィルタ３２と同形に形成されている。固定具３３は、例えば台座３１を上方から覆う蓋形状を呈する。固定具３３の上面には、捕集フィルタ３２の径よりも例えば数ミリ小さい開口が形成されている。なお、固定具３３の上面は、例えば網目形状、パンチングメタル状としてもよい。
【００２６】
図４に示すように、台座３１の上面に捕集フィルタ３２を置き、捕集フィルタ３２の上方から台座３１に固定具３３をかぶせて、台座３１と固定具３３とで捕集フィルタ３２を挟み込むことで、捕集フィルタ３２を固定する。このようにして、台座３１及び固定具３３は、捕集フィルタ３２を、集塵室２８内の予め定められた位置（ここでは、集塵室底面部２９における開口部２７に対向する位置）に固定する固定手段を構成している。このため、旋回室２１から排出管２６への気流により発生する負圧で捕集フィルタ３２が舞い上がることを抑制することができ、流入口２２から大風量で空気を吸引しても捕捉部３０でウイルスを安定して捕集することが可能である。
【００２７】
集塵室底面部２９は、集塵室２８に対して取り外することができるように取り付けられている。捕捉部３０は集塵室底面部２９に固定されているため、集塵室２８から捕捉部３０ごと集塵室底面部２９を取り外すことができる。すなわち、捕捉部３０は、集塵室２８に着脱自在に設けられている。このようにすることで、捕集フィルタ３２を容易に回収することが可能となる。
【００２８】
サイクロン部２０は、不活化装置４０を備えている。不活化装置４０は、捕捉部３０に捕捉されたウイルスを不活化するウイルス不活化手段である。不活化装置４０は、ここでは、旋回室２１の開口部２７の縁部に取り付けられている。
【００２９】
また、不活化装置４０は、ここでは、捕捉部３０に、予め設定された波長域の紫外線を含む光を照射する照射手段を備えている。照射手段は、例えば、予め設定された波長域の紫外線を含む光を照射可能なＬＥＤにより構成される。
【００３０】
なお、紫外線は、ウイルスをはじめとする微生物の不活性化に有効である一方で、樹脂の劣化を招く。そこで、照射手段として照射面積が狭いＬＥＤを用いることが好ましい。照射面積が狭いＬＥＤを用いて、捕集フィルタ３２に紫外線を含む光を照射することで、捕集フィルタ３２の全域に照射し、かつ、捕集フィルタ３２の外側に照射されないように照射範囲を調整することが容易にでき、集塵室２８を構成する樹脂の劣化を抑制することができる。
【００３１】
また、捕集フィルタ３２でウイルスを捕集することで、集塵室２８内の限られた範囲内にウイルスを集め、紫外線の照射が必要な面積を小さくすることができる。このため、照射面積が狭いＬＥＤを用いた場合であっても不活化装置４０に必要なＬＥＤの数を少なくして、装置の製造に必要な費用を少なく抑えることが可能である。
【００３２】
このように、不活化装置４０を備えて、捕捉部３０の捕集フィルタ３２で捕捉したウイルスを不活化することで、集塵室２８から捕捉部３０を取り外して捕集フィルタ３２を回収する際に、活性状態のウイルスが飛散することを抑制することができる。
【００３３】
以上のように構成されたサイクロン部２０を備えた空気清浄装置１において、空気清浄装置１において、吸引ファン１０の吸引動作が開始されると、含塵空気は、吸込口２４から流入管２３に吸い込まれ、流入口２２を通過して円筒部２１ａの内部（旋回室２１）に流入する。
【００３４】
流入口２２を通過した含塵空気は、円筒部２１ａの内周面（旋回室２１の内壁面）に沿うように、旋回室２１に、その接線方向から流入する。流入口２２から旋回室２１に取り込まれた含塵空気は、旋回室２１内において、側壁に沿って予め設定された方向に前記旋回中心軸のまわりを回る旋回気流を形成する。この旋回気流は、中心軸近傍の強制渦領域とその外側の自由渦領域とを形成しながら、その経路構造と重力とによって下向きに流れていく。
【００３５】
旋回気流（旋回室２１内の空気）に含まれる異物には、遠心力が作用する。異物は、この遠心力によって、円筒部２１ａの内周面（旋回室２１の内壁面）に押し付けられながら、旋回室２１内を落下する。異物は、旋回室２１内の気流に乗って旋回室２１内を旋回しながら下方に進み、開口部２７を通過する。そして、異物は、集塵室２８に落下して捕捉される。
【００３６】
旋回室２１内で旋回する気流は、旋回室２１の最下部に達すると、その進行方向を上向きに変えて、旋回室２１の中心軸に沿って上昇する。この上昇気流を形成する空気からは、異物が除去されている。異物が取り除かれた気流（清浄空気）は、排出管２６内に入る。そして、排出管２６から排出口２５を通過して、旋回室２１の外に排出される。
【００３７】
旋回室２１の排出口２５から排出された空気は、次に排気フィルタ１１を通過する。空気が排気フィルタ１１を通過する際には、旋回室２１では取り除き切れなかった異物よりさらに微細なごみ等が、排気フィルタ１１によりこし取られて空気中から取り除かれる。旋回室２１及び排気フィルタ１１を通過して清浄化された空気は、吸引ファン１０を通過して空気清浄装置１の外部へと排出される。
【００３８】
一方、開口部２７を通過して集塵室２８に落下したウイルスを含む異物は、捕捉部３０の捕集フィルタ３２により捕集される。捕集フィルタ３２により捕集された異物には、不活化装置４０により例えば紫外線が照射される。このため、捕集フィルタ３２により捕集された異物に含まれるウイルスは不活化される。
【００３９】
以上のようにして、この発明の実施の形態１に係る空気清浄装置１は、当該空気清浄装置１が設置された空間内の空気から異物を分離し、異物が取り除かれた清浄空気を空間に戻して空間中の空気を清浄化することができる。同時に、空気から分離した異物を捕集し、捕集したウイルスを含む異物を捕捉部３０で捕捉する。捕捉部３０には、当該空気中のウイルスが集められて捕捉されており、かつ、捕捉部３０は空気清浄装置１の集塵室２８に着脱自在に設けられているため、当該空気中のウイルスを容易に分析可能な状態で捕捉することができる。
【００４０】
実施の形態２．
図５は、この発明の実施の形態２に係るもので、空気清浄装置の要部の構成を模式的に示す断面図である。
【００４１】
ここで説明する実施の形態２は、前述した実施の形態１の構成において、１つの旋回室に２つの集塵室を設けるようにしたものである。以下、この実施の形態２に係る空気清浄装置について、実施の形態１との相違点を中心に説明する。
【００４２】
図５に示すように、この発明の実施の形態２に係る空気清浄装置１が備えるサイクロン部２０は、旋回室２１で分離された異物を捕集する集塵室として、第１の集塵室２８ａ及び第２の集塵室２８ｂの２つの集塵室を備えている。
【００４３】
円錐部２１ｂの下端部には、第１の開口部２７ａが形成されている。第１の集塵室２８ａは、円錐部２１ｂ（旋回室２１の下部）の下方を覆い、その周囲を取り囲むように配置される。第１の開口部２７ａを含む円錐部２１ｂの下方側は、第１の集塵室２８ａの内側の空間に配置される。第１の集塵室２８ａは、第１の開口部２７ａを介して旋回室２１に通じている。旋回室２１において含塵空気から分離された異物は、第１の開口部２７ａを通って第１の集塵室２８ａに落下し、捕捉される。このようにして、第１の集塵室２８ａは、旋回室２１に形成された第１の開口部２７ａを介して旋回室２１の内部と連通し、旋回室２１で分離された異物を捕集するように構成される。
【００４４】
旋回室２１を形成する側壁には、第２の開口部２７ｂが形成されている。旋回室２１は、第２の開口部２７ｂを介して第２の集塵室２８ｂに通じている。第２の開口部２７ｂは、流入口２２よりも低い位置（下流側）、かつ、第１の開口部２７ａよりも高い位置（上流側）に形成される。第２の集塵室２８ｂは、第２の開口部２７ｂを含む円筒部２１ａの下部及び円錐部２１ｂ（すなわち、旋回室２１の大部分）の周囲を取り囲み、さらに、第１の集塵室２８ａの周囲も取り囲むように配置される。このようにして、第２の集塵室は、旋回室２１における第１の開口部２７ａよりも上流側に形成された第２の開口部２７ｂを介して旋回室２１の内部と連通するように構成されている。
【００４５】
そして、この実施の形態２においては、捕捉部３０は、第１の集塵室２８ａの内部に設けられている。すなわち、捕捉部３０は、第１の集塵室２８ａに捕集された異物に含まれるウイルスを捕捉する。ここでは、捕捉部３０は、実施の形態１と同じく第１の集塵室２８ａの底面部に取り付けられている。すなわち、捕捉部３０は、第１の集塵室２８ａに着脱自在に設けられている。また、捕捉部３０は、実施の形態１と同様に、例えば、台座、捕集フィルタ及び固定具を備えている。
【００４６】
また、捕捉部３０に捕捉されたウイルスを不活化する不活化装置４０は、旋回室２１の第１の開口部２７ａの縁部に取り付けられている。
なお、他の構成については実施の形態１と同様であって、その詳細説明は省略する。
【００４７】
以上のように構成されたサイクロン部２０を備えた空気清浄装置１において、吸引ファン１０の吸引動作が開始されると、含塵空気は、吸込口２４から流入管２３に吸い込まれ、流入口２２を通過して円筒部２１ａの内部（旋回室２１）に流入する。
【００４８】
流入口２２を通過した含塵空気は、円筒部２１ａの内周面（旋回室２１の内壁面）に沿うように、旋回室２１に、その接線方向から流入する。流入口２２から旋回室２１に取り込まれた含塵空気は、旋回室２１内において、旋回気流を形成する。この旋回気流は、その経路構造と重力の作用によって下向きに流れていく。
【００４９】
旋回気流（旋回室２１内の空気）に含まれる異物には、遠心力が作用する。旋回気流（旋回室２１内の空気）に含まれる異物には、遠心力が作用する。例えば、繊維ごみ、毛髪といった比較的嵩の大きな異物（以下、このような異物のことを「異物α」という）は、この遠心力によって、円筒部２１ａの内周面（旋回室２１の内壁面）に押し付けられながら、旋回室２１内を落下する。また、旋回室２１内の空気の一部は遠心力により第２の集塵室２８ｂに流入する。
【００５０】
異物αは、第２の開口部２７ｂの高さに達すると旋回気流から分離され、第２の開口部２７ｂを通過して第２の集塵室２８ｂに送られる。第２の開口部２７ｂから第２の集塵室２８ｂに進入した異物αは、旋回室２１内の空気の旋回方向と同じ方向に移動しながら、第２の集塵室２８ｂ内を落下し、第２の集塵室２８ｂ内に捕捉される。
【００５１】
第２の開口部２７ｂから第２の集塵室２８ｂに進入しなかった異物は、旋回室２１内の気流に乗って、旋回室２１内を旋回しながら下方に進む。砂ごみ、細かな繊維ごみといった比較的嵩の小さなごみ及びウイルス、花粉等（以下、このような異物のことを「異物β」という）は、第１の開口部２７ａを通過する。そして、異物βは、第１の集塵室２８ａに落下して捕捉される。
【００５２】
旋回室２１内で旋回する気流は、旋回室２１の最下部に達すると、その進行方向を上向きに変えて、旋回室２１の中心軸に沿って上昇する。この上昇気流を形成する空気からは、異物α及び異物βが除去されている。異物α及び異物βが取り除かれた気流（清浄空気）は、排出管２６内に入る。そして、排出管２６から排出口２５を通過して、旋回室２１の外に排出される。
【００５３】
一方、第１の開口部２７ａを通過して第１の集塵室２８ａに落下したウイルスを含む異物βは、捕捉部３０の捕集フィルタ３２により捕集される。捕集フィルタ３２により捕集された異物βには、不活化装置４０により例えば紫外線が照射される。このため、捕集フィルタ３２により捕集された異物βに含まれるウイルスは不活化される。
【００５４】
ここで、捕捉部３０の捕集フィルタ３２の表面には、ウイルスのみならず、第１の集塵室２８ａに捕集されたウイルス以外の異物も付着してしまう。この実施の形態２に係る空気清浄装置１によれば、捕捉部３０が設けられた第１の集塵室２８ａにまで到達する異物からは、比較的に嵩の大きい異物αが取り除かれている。
【００５５】
このため、捕捉部３０の捕集フィルタ３２の表面にウイルス以外で付着する異物は、比較的に嵩の小さい異物βであるため、捕集フィルタ３２の表面が嵩の大きい異物αで覆われてしまうことがなく、捕集フィルタ３２の表面に付着するウイルス以外の異物の量を少なくすることができる。そして、捕集フィルタ３２の表面に付着するウイルス以外の異物の量を少なくすることで、その後のウイルスの分析等をやりやすくすることが可能である。
【符号の説明】
【００５６】
１    空気清浄装置
１０    吸引ファン
１１    排気フィルタ
２０    サイクロン部
２１    旋回室
２１ａ  円筒部
２１ｂ  円錐部
２２    流入口
２３    流入管
２４    吸込口
２５    排出口
２６    排出管
２７    開口部
２７ａ  第１の開口部
２７ｂ  第２の開口部
２８    集塵室
２８ａ  第１の集塵室
２８ｂ  第２の集塵室
２９    集塵室底面部
３０    捕捉部
３１    台座
３２    捕集フィルタ
３３    固定具
４０    不活化装置
【図１】
2018038980.tif 000003
【図２】
2018038980.tif 000004
【図３】
2018038980.tif 000005
【図４】
2018038980.tif 000006
【図５】
2018038980.tif 000007